(57)【要約】【課題】光ディスク上にある傷やブラックドットが存在する場合であっても、当該光ディスクに記録されたコントロールデータを的確に読み出すことが可能な光ディスクを提供すること。【解決手段】ＲＯＭディスク１００に設けられたリードインエリア１０３には、２カ所の制御情報エリア１０６Ａ、Ｂを有し、この各制御情報エリア１０６に記録される各制御情報１１０が、１９２の同様の内容を示す誤り訂正符号ブロック（制御情報１１０n）によって構成されているとともに、再生制御情報が記録された制御情報エリア１０６Ａが、他の制御情報エリア１０６Ｂから最大ブラックドットの半径方向の幅より離れて設けられている。【選択図】図１
2006252764.tif 000002
【特許請求の範囲】
【請求項１】
コンテンツ情報が記録されたコンテンツ情報領域と、
前記コンテンツ情報の再生を制御する制御情報が記録された複数の制御情報領域と、
が設けられ、
少なくとも前記制御情報領域には、前記制御情報が位相ピットを用いて記録されているとともに、同様の内容を示す当該制御情報が繰り返し記録されており、
一の前記制御情報領域が、他の前記制御情報領域から当該記録媒体の半径方向に所定の距離離れて設けられ、かつ、当該所定の距離が前記記録媒体の再生時に前記制御情報の欠落を生じさせる情報欠落領域の当該記録媒体の半径方向の幅より大きく形成されているとともに、
前記情報欠落領域が、当該記録媒体の生成工程上発生するブラックドットによって構成されることを特徴とする再生専用の記録媒体。
【請求項２】
請求項１に記載の再生専用の記録媒体において、
前記情報欠落領域の当該記録媒体の半径方向の幅が、０．１ｍｍであることを特徴とする再生専用の記録媒体。
【請求項３】
請求項１又は２に記載の再生専用の記録媒体において、
少なくとも前記制御領域には、当該記録媒体の再生時に、０．７５以上の開口数を有する光学手段によって読み出される前記制御情報が記録されていることを特徴とする再生専用の記録媒体。
【請求項４】
請求項１乃至３の何れか一項に記載の再生専用の記録媒体において、
少なくとも前記制御領域には、当該記録媒体の再生時に、４４０ｎｍ以下の光ビームの波長を有する光学手段によって再生される前記制御情報が記録されていることを特徴とする再生専用の記録媒体。
【発明の詳細な説明】
【技術分野】
【０００１】
本発明は、ブラックドットなどに起因するデータ欠落部を有する場合であっても、光ディスク上に記録されたデータを読みとることが可能な光ディスクに関する。
【背景技術】
【０００２】
近年、高密度の情報記録が可能なディスク状の情報記録媒体として、いわゆるＤＶＤ（Digital Versatile  Disc）が広く一般化しつつある。
【０００３】
従来、ＤＶＤなどの光ディスクには、当該光ディスクの識別情報や当該光ディスクに記録されているコンテンツ情報の管理情報を予め記録しておくための制御領域（コントロールデータエリア）が設けられており、当該光ディスクの再生時に、この制御領域に記録された識別情報および管理情報を読み出し、コンテンツ情報の再生制御を行うようになっている。
【０００４】
また、光ディスクは、再生装置の光学ヘッドから照射されるレーザ光によりディスクに記録されたピットがトレースされ、コンテンツ情報や識別情報および管理情報（コントロールデータ）が読み出されるようになっている。
【０００５】
このような光ディスクにおいて、ディスク上の傷やブラックドットが存在すると、再生装置により光学ヘッドが跳ばされて同一箇所が繰り返し再生される、または、当該ブラックドットに記録された情報を読み出すことが不可能になるという問題が発生する。
【０００６】
そこで、最近では、光ディスクを再生する際にトラッキングを制御すること（トラッキング制御）によって当該問題を解消するようになっている。
【０００７】
また、コントロールデータは、当該光ディスクに記録された情報を再生の際に特に重要な情報であることから、上述のようなトラッキング制御だけでなく、当該コントロールデータを誤り訂正やＷｏｂｂｌｅ（ウォブル）信号によってエンコードすることにより、再生障害や読出不能を防止するようになっている。
【０００８】
したがって、光ディスクでは、トラッキング制御の他に、誤り訂正やＷｏｂｂｌｅ信号を用いることによって、ブラックドットなどによってコントロールデータの一部を読み出すことができない場合であっても、誤りを訂正するなど他の読み取ったデータより推測することにより、当該コントロールデータを的確に読み出すことができるようになっている。
【発明の開示】
【発明が解決しようとする課題】
【０００９】
しかしながら、再生専用の高密度に情報が記録されたＤＶＤなどの光ディスクでは、当該光ディスクが再生される際に、データを表すピットが検出されながら行われるため、光ディスク上にある傷やブラックドットなどのデータ欠落部が発生した場合には、その欠落部は、トラッキングエラーの基となり、当該データ欠落部に記録されたデータが読み出せなくなるという可能性を有する。
【００１０】
すなわち、ブラックドットが存在しても、通常の光ディスクの対物レンズのＮＡ（ＮＡ（Numerical Aperture：開口数）＝０．５程度）では、トラッキング制御や誤り訂正などにより再生にほとんど影響しないが、高記録容量を有する光ディスクからデータを読み出す場合には、高ＮＡの対物レンズを使用することとなるので、ブラックドットに起因するデータ欠落部分があると、その欠落部分の大きさによっては、誤り訂正やＷｏｂｂｌｅといった方法では、欠落部に記録されたデータを読み出せなくなる可能性が高いこととなる。
【００１１】
本発明は、上記の各問題点に鑑みて為されたもので、その課題の一例としては、光ディスク上にある傷やブラックドットが存在する場合であっても、当該光ディスクに記録されたコントロールデータを的確に読み出すことが可能なＤＶＤなどの光ディスクを提供することである。
【課題を解決するための手段】
【００１２】
上記の課題を解決するために、請求項１に記載の発明は、コンテンツ情報が記録されたコンテンツ情報領域と、前記コンテンツ情報の再生を制御する制御情報が記録された複数の制御情報領域と、が設けられ、少なくとも前記制御情報領域には、前記制御情報が位相ピットを用いて記録されているとともに、同様の内容を示す当該制御情報が繰り返し記録されており、一の前記制御情報領域が、他の前記制御情報領域から当該記録媒体の半径方向に所定の距離離れて設けられ、かつ、当該所定の距離が前記記録媒体の再生時に前記制御情報の欠落を生じさせる情報欠落領域の当該記録媒体の半径方向の幅より大きく形成されているとともに、前記情報欠落領域が、当該記録媒体の生成工程上発生するブラックドットによって構成されている。
【発明を実施するための最良の形態】
【００１３】
次に、本願の光ディスクの実施の形態について、図面に基づいて説明する。
【００１４】
〔第１実施形態〕
図１〜図４を用いて再生専用の光ディスク（以下、ＲＯＭディスクという。）の第１実施形態について説明する。
【００１５】
まず、図１および図２を用いて本実施形態のＲＯＭディスクの物理構造について説明する。
【００１６】
なお、図１は、ＲＯＭディスクの物理構造を示す模式図であり、図２は、制御情報の構造を示す図である。
【００１７】
ＲＯＭディスク１００は、図１に示すように、内側より、当該ＲＯＭディスク１００を、当該ＲＯＭディスク１００を再生する再生装置の図示しないスピンドルモータの回転軸に固定するためのクランプ孔１０１と、当該固定のための未記録エリア１０２と、コンテンツ情報の再生制御を行う再生制御情報など当該ＲＯＭディスク１００およびコンテンツ情報を管理する管理情報が記録されているリードインエリア１０３と、実際にコンテンツ情報が記録されている記録エリア１０４と、情報記録終了又は情報再生終了のための種々の情報が記録されているリードアウトエリア１０５と、により構成されている。
【００１８】
なお、例えば、本実施形態のリードインエリア１０３は、本発明に係る制御情報領域を構成し、本実施形態の記録領域１０４は、本発明に係るコンテンツ情報領域を構成している。
【００１９】
リードインエリア１０３には、具体的には、当該ＲＯＭディスク１００の再生を制御する制御情報（Disc Information）１１０が記録される制御情報エリア１０６とコピー保護を行うための情報などの情報（以下、他情報という。）１２０が記録される他情報エリア１０７と、を有しており、この制御情報エリア１０６に記録される制御情報１１０は、当該ＲＯＭディスク１００を再生する際にコンテンツ情報の再生を制御する再生制御情報（Control Data）１１１と、当該ＲＯＭディスク１００の識別情報などＲＯＭディスク１００自体の情報であるディスク管理情報（Manufacture Information）１１２と、当該コンテンツ情報の属性や著作権情報の再生管理の情報などコンテンツ情報の提供者が当該コンテンツ情報の管理に用いるコンテンツ管理情報（Contents Provider Information）１１３とから構成されている。
【００２０】
このリードインエリア１０３には、２カ所の制御情報エリア１０６Ａ、１０６Ｂを有しており、この各制御情報エリア１０６Ａ、１０６Ｂに記録される各制御情報１１０は、図２に示すように、１９２の同様の内容を示す誤り訂正符号（ＥＣＣ（Error Correcting Code））ブロック（制御情報１１０n）によって構成されている。
【００２１】
各制御情報１１０を構成する１の制御情報１１０nは、先頭の１セクターに当該ＲＯＭディスク１００を再生する際にコンテンツ情報の再生を制御する再生制御情報１１１を有し、その後のセクターに、ディスク管理情報１１２と、コンテンツ管理情報１１３を有している。
【００２２】
また、この再生制御情報１１１は、例えば、図２に示すように、記録されているコンテンツ情報のフォーマットを示すフォーマット情報１２１と、当該ＲＯＭディスク１００のディスクサイズの情報およびコンテンツ情報の再生時の転送レートの情報を有するディスク情報１２２と、単層ディスクか多層ディスクかのディスク構造の情報を示すディスク構造情報１２３と、コンテンツ情報の記録密度を示す記録密度情報１２４と、コンテンツ情報のアドレスや記録開始位置を示すアドレス情報１２５と、ＢＣＡ（Bust Cutting Aria）の有無を示すＢＣＡ情報１２６と、その他の他情報１２７とから構成され、各情報毎に予め定められたバイト位置に所定のバイト数を有している。
【００２３】
なお、例えば、本実施形態の再生制御情報１１１は、本発明に係る制御情報を構成している。
【００２４】
ここで、図３を用いてＲＯＭディスク１００のディスク構造について説明する。
【００２５】
なお、図３は、ＲＯＭディスク１００のディスク構造を示す構造図である。
【００２６】
本実施形態のＲＯＭディスク１００は、図３に示すように、制御情報およびコンテンツ情報を保持する位相ピットが形成された基板１０と、図示しない再生装置から照射された光ビームを反射する反射層２０と、各層を全体的に保護するカバー層３０と、により構成されている。
【００２７】
例えば、本実施形態では、位相ピットの深さは６０ｎｍ、隣り合う記録トラックＴＲ間の距離（トラックピッチ）は０．３２μｍである。
【００２８】
また、本実施形態では、基板１０に形成される位相ピットの周回方向の長さ（以下、ピット長という。）は２Ｔ〜９Ｔである。
【００２９】
なお、上述のＴは、ＲＯＭディスク１００の再生時に、位相ピットの情報を読み出すときの周波数変換の基準となる周波数の逆数を示す。
【００３０】
本実施形態では、このような物理構造を有することによって、ＲＯＭディスク１００は、高密度に情報を記録するようになっており、当該ＲＯＭディスク１００は、全体として２５Ｇｂｙｔｅの記録容量を有するようになっている。
【００３１】
また、本実施形態では、ＲＯＭディスク１００を再生する際に、図示しない再生装置によって光ビームを記録トラックＴＲ上に照射すると、位相ピットの有無による光ビームの反射率の低下に加えて、記録トラックＴＲに照射された光ビームと記録トラックＴＲ以外の領域に照射された光ビームの位相差に基づいて記録トラックＴＲに記録された各情報を読み取れるようになっている。
【００３２】
なお、このような構造を有するＲＯＭディスク１００を再生する場合には、図示しない再生装置は、高波長（λ＝４４０ｎｍ以下）の光ビームをＲＯＭディスク１００に照射するとともに、高ＮＡ（ＮＡ＝０．７５以上）の対物レンズによって再生する必要がある。
【００３３】
また、上述のディスク構造について、図３では、リードインエリア内の構造を示しているが、記録エリア１０４およびリードアウトエリア１０５など他のエリアについても同様の構造を有している。
【００３４】
次に、図４を用いて再生制御情報とブラックドットとの関係を説明する。
【００３５】
なお、図４は、制御情報エリアとブラックドットとの関係を説明するための図である。
【００３６】
この再生制御情報は、図４に示すように、リードインエリア１０３内の予め定められた２つの制御情報エリア１０６に記録されている。
【００３７】
１の再生制御情報が記録された制御情報エリア１０６Ａは、他の制御情報エリア１０６Ｂから最大ブラックドットの半径方向の幅より離れて設けられており、例えば、本実施形態では、制御情報エリア１０６Ａと制御情報エリア１０６Ｂは、ＲＯＭディスク１００の半径方向に０．１ｍｍ離れて設けられている。
【００３８】
このブラックドットとは、ＲＯＭディスク１００成形時にディスク面に付着した異物により光学ヘッドから出力されるレーザビームがピットまで到達できないデータ欠落部のことをいい、例えば、ディスク成形時にディスク成形機のシリンダー内のスクリューに付着した焼けた成形材料が付着してできた黒点をいう。
【００３９】
また、ブラックドットは、光ディスクの半径方向に最大０．１ｍｍの幅を有している。
【００４０】
なお、例えば、当該ブラックドットは、本発明に係る情報欠落領域を構成している。
【００４１】
従来の光ディスクでは、上述の制御情報は１カ所のみ当該記録媒体に記録されており、同じ内容の情報が１９２回繰り返し記録されていたとしても、光ディスクの半径方向の幅は６０μｍしかならない。
【００４２】
したがって、光ディスクの半径方向に最大幅を有するブラックドットが上記制御情報の記録されている領域に存在した場合には、再生時に当該部分の制御情報を読み出すことができなくなる。
【００４３】
一方、本実施形態では、上述のように、例えば、制御情報エリア１０６Ａにブラックドットが形成されることによって当該制御情報エリア１０６Ａに記録された制御情報１１０を読み出すことができない場合であっても、他の制御情報エリア１０６Ｂには当該ブラックドットの影響は生じないため、他の制御情報エリア１０６に記録された制御情報１１０を読み出すことによって再生時に制御情報１１０を取得できるようになっている。
【００４４】
以上により本実施形態によれば、コンテンツ情報が記録された記録領域１０２と、記録されたコンテンツ情報の再生を制御する制御情報が記録される複数の制御情報エリア１０６と、が設けられ、少なくとも制御情報エリア１０６には、制御情報１１０が位相ピットを用いて記録されているとともに、同様の内容を示す当該制御情報１１０が繰り返し記録されている構成を有している。
【００４５】
この構成により、本実施形態では、何れか一方の制御情報エリア１０６から１のブラックドットまたはディスク表面上の傷によって制御情報１１０が読み出すことができない場合であっても、他の制御情報エリア１０６から制御情報１１０を読み出すことができるので、ＲＯＭディスク１００上にある傷やブラックドットが存在する場合であっても、当該ＲＯＭディスク１００に記録されたコントロールデータを的確に読み出すことができる。
【００４６】
したがって、光ディスクの汚れなどに対する耐性が強くなるとともに、光ディスクの使用環境の悪化に耐えうる光ディスクを提供することができる。
【００４７】
また、ＲＯＭディスクの再生時に制御情報１１０の欠落を生じさせるブラックドットが少なくとも形成される場合に、各制御情報エリア１０６が、他の制御情報エリア１０６からＲＯＭディスク１００の半径方向にブラックドットのＲＯＭディスク１００の半径方向の幅より離れて設けられた構成を有している。
【００４８】
この構成により、本実施形態では、何れか一方の制御情報エリア１０６からブラックドットまたはディスク表面上の傷によって制御情報１１０が読み出すことができない場合であっても、他の制御情報エリア１０６から制御情報１１０を読み出すことができるので、ＲＯＭディスク１００上にある傷やブラックドットが存在する場合であっても、当該ＲＯＭディスク１００に記録されたコントロールデータを的確に読み出すことができる。
【００４９】
したがって、光ディスクの汚れなどに対する耐性が強くなるとともに、光ディスクの使用環境の悪化に耐えうる光ディスクを提供することができる。
【００５０】
なお、本実施形態では、情報の欠落部分をディスク成形上先天的に発生するブラックドットを用いて説明しているが、勿論、情報欠落部分は、ディスク成形後後天的に発生する表面傷や付着するゴミなどであってもその効果は同様である。
【００５１】
また、本実施形態では、リードインエリアに２カ所の制御情報エリアを設け、制御情報を記録するようになっているが、リードインエリア内に２カ所以上制御情報エリアを設けてもよいし、リードインエリアの他に、リードアウトエリアまたは記録エリアなど他の領域に制御情報エリアを設けるようにしてもよい。
【００５２】
〔第２実施形態〕
次に、図５および図６を用いてＲＯＭディスクの第２実施形態について説明する。
【００５３】
本実施形態では、第１実施形態において、リードインエリアに複数の制御情報領域を設けた点に代えて、ＲＯＭディスクの半径方向に対して予め定められた幅を有する制御情報領域を設けて点に特徴があり、その他の構成は第１実施形態と同様であるため、同一部材には同一番号を付して説明を省略する。
【００５４】
図５および図６を用いて本実施形態のＲＯＭディスクの物理構造について説明する。
【００５５】
なお、図５は、ＲＯＭディスクの物理構造を示す模式図であり、図６は、制御情報エリアとブラックドットとの関係を説明するための図である。
【００５６】
図５に示すＲＯＭディスク２００は、第１実施形態と同様に、内側より、当該ＲＯＭディスク２００を、当該ＲＯＭディスク２００を再生する再生装置の図示しないスピンドルモータの回転軸に固定するためのクランプ孔１０１と、当該固定のための未記録エリア１０２と、コンテンツ情報の再生制御を行う再生制御情報など当該ＲＯＭディスク１００およびコンテンツ情報を管理する管理情報が記録されているリードインエリア１０３と、実際にコンテンツ情報が記録されている記録エリア１０４と、情報記録終了又は情報再生終了のための種々の情報が記録されているリードアウトエリア１０５と、により構成されている。
【００５７】
本実施形態のリードインエリア１０３は、第１実施形態と同様に、制御情報１１０が記録される制御情報エリア１０６と、他情報１２０が記録される他情報エリア１０７と、を有しており、制御情報１１０は、再生制御情報１１１と、ディスク管理情報１１２と、コンテンツ管理情報（Contents Provider Information）１１３とから構成される。
【００５８】
このリードインエリア１０３には、制御情報エリア１０６を有しており、この各制御情報エリア１０６に記録される各制御情報１１０は、複数の誤り訂正符号（ＥＣＣ（Error Correcting Code））ブロック（制御情報１１０）によって構成されている。
【００５９】
すなわち、制御情報１１０は、１９２の同様の内容を示す誤り訂正符号（ＥＣＣ（Error Correcting Code））からなるブロック（制御情報１１０）が、複数回繰り返されて構成されている。
【００６０】
本実施形態では、再生制御情報が記録された制御情報エリア１０６は、ＲＯＭディスクの半径方向に、最大ブラックドットの半径方向の幅より大きい幅を有しており、例えば、制御情報エリア１０６は、ＲＯＭディスク２００の半径方向に０．８ｍｍの幅を有している。
【００６１】
従来の光ディスクでは、上述の制御情報は１カ所のみ当該記録媒体に記録されており、同じ内容の情報が１９２回繰り返し記録されていたとしても、光ディスクの半径方向の幅は６０μｍしかならない。
【００６２】
したがって、光ディスクの半径方向に最大０．１ｍｍの幅を有するブラックドットが上記制御情報の記録されている領域に存在した場合には、再生時に当該部分の制御情報を読み出すことができなくなる。
【００６３】
一方、本実施形態では、図６に示すように、例えば、制御情報エリア１０６の一部にブラックドットが形成され記録されている制御情報１１０が当該ＲＯＭディスク２００の領域に記録された情報が読み出すことができない場合であっても、制御情報は、当該ブラックドットの影響が生じない制御情報エリア１０６まで繰り返し記録されているため、ブラックドットが形成された制御情報エリア１０６以外のエリアから制御情報を読み出すことによって再生時に制御情報１１０を取得できるようになっている。
【００６４】
なお、本実施形態では、再生制御情報が記録された制御情報エリア１０６は、ＲＯＭディスクの半径方向に、最大ブラックドットの半径方向の幅より大きい幅を有しており、例えば、制御情報エリア１０６は、ＲＯＭディスク２００の半径方向に０．８ｍｍの幅を有している。
【００６５】
以上本実施形態によれば、コンテンツ情報が記録された記録領域１０４と、当該ＲＯＭディスク２００の半径方向に予め設定された幅を有し、記録されたコンテンツ情報の再生を制御する制御情報１１０を記録する制御情報エリア１０６と、が設けられ、少なくとも制御情報エリア１０６には、制御情報１１０が位相ピットを用いて記録されているとともに、同様の内容を示す当該制御情報１１０が繰り返し記録されている構成を有している。
【００６６】
この構成により、本実施形態では、制御情報エリア１０６にブラックドットまたはディスク表面上の傷が形成された場合であっても、当該ブラックドットなどによっては制御情報エリア１０６のすべてのデータの読み込み不良を生じさせることなく、また、繰り返し記録された何れか１の制御情報１１０を読み出せば、再生が的確に行われるので、ＲＯＭディスク２００上にある傷やブラックドットが存在する場合であっても、当該ＲＯＭディスク２００に記録されたコントロールデータを的確に読み出すことができる。
【００６７】
したがって、光ディスクの汚れなどに対する耐性が強くなるとともに、光ディスクの使用環境の悪化に耐えうる光ディスクを提供することができる。
【００６８】
また、ＲＯＭディスクの再生時に制御情報１１０の欠落を生じさせるブラックドットや表面上の傷が少なくとも形成される場合に、制御情報エリア１０６の予め設定された幅が、ブラックドットの当該ＲＯＭディスク２００の半径方向の幅より大きい構成を有している。
【００６９】
この構成により、本実施形態では、制御情報エリア１０６にブラックドットまたはディスク表面上の傷が形成された場合であっても、当該ブラックドットなどによっては制御情報エリア１０６のすべてのデータの読み込み不良を生じさせることなく、また、繰り返し記録された何れか１の制御情報１１０を読み出せば、再生が的確に行われるので、ＲＯＭディスク２００上にある傷やブラックドットが存在する場合であっても、当該ＲＯＭディスク２００に記録されたコントロールデータを的確に読み出すことができる。
【００７０】
したがって、光ディスクの汚れなどに対する耐性が強くなるとともに、光ディスクの使用環境の悪化に耐えうる光ディスクを提供することができる。
【００７１】
なお、本実施形態では、情報の欠落部分をディスク成形上先天的に発生するブラックドットを用いて説明しているが、勿論、情報欠落部分は、ディスク成形後後天的に発生する表面傷や付着するゴミなどであってもその効果は同様である。
【図面の簡単な説明】
【００７２】
【図１】本願に係るＲＯＭディスクの第１実施形態の物理構造を示す模式図である。
【図２】第１実施形態における制御情報の構造を示す図である。
【図３】第１実施形態におけるＲＯＭディスクのディスク構造を示す構造図である。
【図４】第１実施形態における制御情報エリアとブラックドットとの関係を説明するための図である。
【図５】本願に係るＲＯＭディスクの第２実施形態の物理構造を示す模式図である。
【図６】第２実施形態における制御情報エリアとブラックドットとの関係を説明するための図である。
【符号の説明】
【００７３】
１００、２００    ＲＯＭディスク
１０３    リードインエリア
１０４    記録エリア
１０５    リードアウトエリア
１０６    制御情報エリア
１１０    制御情報
【図１】
2006252764.tif 000003
【図２】
2006252764.tif 000004
【図３】
2006252764.tif 000005
【図４】
2006252764.tif 000006
【図５】
2006252764.tif 000007
【図６】
2006252764.tif 000008